(57)【要約】【課題】  米飯からの摂取カロリーを抑えたい方の炊事における煩雑さの軽減、及び、個人におけるダイエットに対する意識の向上やモチベーション維持を図る技術の提供。【解決手段】  容体の表面に、人的情報表示部と、該人的情報表示部に記載される内容に基づいて算出される標準摂取カロリー表示部と、前記人的情報表記部に記載される内容に基づいて算出されるダイエットカロリー表示部とを有し、前記標準摂取カロリー表示部と、前記ダイエットカロリー表示部の表示位置が、米飯の単位量当たりのカロリーに基づいて定められる手段を採用した。【選択図】図１
2012249773.tif 000002
【特許請求の範囲】
【請求項１】
ダイエット用の食器であって、
容体の表面に、
人的情報表示部と、
該人的情報表示部に記載される内容に基づいて算出される標準摂取カロリー表示部と、
前記人的情報表記部に記載される内容に基づいて算出されるダイエットカロリー表示部とを有し、
前記標準摂取カロリー表示部と、前記ダイエットカロリー表示部の表示位置が、米飯の単位量当たりのカロリーに基づいて定められることを特徴とするダイエット食器。
【請求項２】
前記の人的情報表示部の表示手段が、数字、文字、色、絵柄、模様のいずれか、もしくはこれらの組み合わせからなる表示であることを特徴とする請求項１に記載のダイエット用食器。
【請求項３】
前記の標準摂取カロリー表示部の表示手段が、数字、文字、色、絵柄、模様のいずれか、もしくはこれらの組み合わせからなる表示であることを特徴とする請求項１又は請求項２に記載のダイエット食器。
【請求項４】
前記のダイエットカロリー表示部の表示手段が、数字、文字、色、絵柄、模様のいずれか、もしくはこれらの組み合わせからなる表示であることを特徴とする請求項１から請求項３のいずれかに記載のダイエット食器。
【請求項５】
前記人的情報表示部、前記標準摂取カロリー表示部、及び前記ダイエットカロリー表示部の表示手段において、該表示部の表示方法が凹状又は凸状の立体形状で表示されていることを特徴とする請求項１から請求項４のいずれかに記載のダイエット食器。
【請求項６】
前記容体が、透明素材であり、且つ、前記人的情報表示部、前記標準摂取カロリー表示部、及び前記ダイエットカロリー表示部が、容体外壁側に設けられていることを特徴とする請求項１から請求項５のいずれかに記載のダイエット食器。
【発明の詳細な説明】
【技術分野】
【０００１】
本発明は食器に関し、詳しくは、病気やダイエット等の諸問題から、米飯からの摂取カロリーを抑えたい方の炊事において、各人に応じた適切な量が器に表示されていることにより、病院、介護施設、或いは学校などの集団生活等における炊事業務従事者等の労力を解消し、また、個人におけるダイエットに対する意識の向上や、モチベーション維持を図ることが可能となる食器の技術に関する。
【背景技術】
【０００２】
肥満の防止や解消のため、或いは生活習慣病の予防のためになど、食事制限によるダイエットの目的は人其々であり、種々のものがある。但し、いずれの目的であるにせよ、過度の摂取制限は体調を崩す原因ともなり問題である。特に近年では、炭水化物の摂取量を抑えることで、短期間に体重を減少させるようなダイエット方法が注目されている。しかし、炭水化物はとても重要な働きがある。炭水化物は体内でブドウ糖に分解され、脳や筋肉などのエネルギー源として利用されるものであり、特に脳はブドウ糖を主たるエネルギー源としていることから、脳の活動を維持するためには多量のブドウ糖が必要である。ブドウ糖が不足すると、脳の働きが鈍くなったり集中力が低下し、また、スタミナ切れを起こしたり、疲れやすくなる。したがって、ダイエットによる食事制限中であっても、毎日の食事できちんと適量の炭水化物を摂ることが必要である。
【０００３】
ここで、米の主成分は炭水化物であり、ゆっくりと消化吸収され、食後の血糖値の上昇も穏やかで、インスリンの分泌も少なく、結果的に体脂肪になりにくいものである。また、米飯は腹持ちもよい食品であり、食べ過ぎや間食を防ぎ、肥満予防にもなる。
【０００４】
そこで、米飯を摂りながら炭水化物の摂取量をコントロールしてダイエット効果を高める食器に関する技術が種々提案されている、例えば、茶碗の内面にカロリーを表示した線を設けたことを特徴とするカロリー表示茶碗（特許文献１参照）、食品を収容する食器であって、体内で所定のエネルギーを得るために摂取されるべき食品の重量を表示するための表示手段が設けられてなる食器（特許文献２参照）、食器の内面もしくは外面に、カロリーの目安となる線もしくは模様を入れた食器（特許文献３参照）などがある。
【０００５】
しかしながら、上記特許文献１、特許文献２、及び特許文献３にあっては、カロリー線もしくはグラム線の示すカロリー量に相違はあるものの、性別や年齢によって必要摂取カロリーが違う事を考慮されておらず、どの世代、または、性別を対象にしているか分かりづらい問題点がある。
【０００６】
また、他にも、通常使用する食器と比較して内容量または盛付量を略半分とした飯椀、汁椀、浅皿、深皿、小鉢からなるセットに、カロリー表示と複数の料理メニューの具体例を前記内容量または盛付量を略半分とした飯椀、汁椀、浅皿、深皿、小鉢に実際に料理を盛り付けした図または写真を表示したメニューカード群を添付したことを特徴とするダイエットのための食器セットもある（特許文献４参照）。しかし、係る技術は、食器セットをすべて用意し、かつ、メニューカードに記載されているメニューを作れる技術が必要である。また、食器もセットになると単品とは金額も変わってきてしまい、気軽にダイエットができないという問題もある。
【０００７】
さらに、上記特許文献全てに当てはまるが、食器にダイエットの必要カロリー摂取量、もしくは、標準的カロリー摂取量のどちらかのみしか表示させていない問題点がある。即ち、標準的カロリー摂取量のみの表示では、標準的体重を維持することが目的となってしまい、ダイエットを行う人にはその効果（体重の減少）が現れるまでに時間がかかってしまう為、モチベーションが保てず、止めてしまう問題がある。さらにまた、ダイエットの必要カロリー摂取量のみの表示では、目的の体重まで落ちても、その後の体重維持に必要なカロリー量が分からず、量の取りすぎになりがちである。その為、リバウンド問題が発生してしまう。
【先行技術文献】
【特許文献】
【０００８】
【特許文献１】実用新案登録第３１３８９８９
【特許文献２】実用新案登録第３０６７７０４
【特許文献３】特開平１０&#8722;０２３９５６
【特許文献４】特開２０１０&#8722;１３１３４３
【特許文献５】実用新案登録第３１４５５７７
【発明の概要】
【発明が解決しようとする課題】
【０００９】
そこで、本発明の発明者は、病気やダイエット等の諸問題から、米飯からの摂取カロリーを抑えたい方の炊事において、各人に応じた適切な量を表示することで、病院、介護施設、或いは学校などの集団生活における炊事業務従事者等の煩雑な労力を軽減し、また、個人において、ダイエットに対する意識の向上を図ることを可能とする食器の技術を提供することを目的とする。
【課題を解決するための手段】
【００１０】
前記目的を達成するため、本発明は、ダイエット用の食器であって、容体の表面に、人的情報表示部と、該人的情報表示部に記載される内容に基づいて算出される標準摂取カロリー表示部と、前記人的情報表記部に記載される内容に基づいて算出されるダイエットカロリー表示部とを有し、前記標準摂取カロリー表示部と、前記ダイエットカロリー表示部の表示位置が、米飯の単位量当たりのカロリーに基づいて定められる手段を採用した。
【００１１】
また、本発明は、前記の人的情報表示部の表示手段が、数字、文字、色、絵柄、模様のいずれか、もしくはこれらの組み合わせからなる表示である構成手段を採用することもできる。
【００１２】
また、本発明は、前記の標準摂取カロリー表示部の表示手段が、数字、文字、色、絵柄、模様のいずれか、もしくはこれらの組み合わせからなる表示である構成手段を採用することもできる。
【００１３】
また、本発明は、前記のダイエットカロリー表示部の表示手段が、数字、文字、色、絵柄、模様のいずれか、もしくはこれらの組み合わせからなる表示である構成手段を採用することもできる。
【００１４】
また、本発明は、前記人的情報表示部、前記標準摂取カロリー表示部、及び前記ダイエットカロリー表示部の表示手段において、該表示部の表示方法が凹状又は凸状の立体形状で表示されている構成手段を採用することもできる。
【００１５】
また、本発明は、前記容体が透明素材であり、且つ、前記人的情報表示部、前記標準摂取カロリー表示部、及び前記ダイエットカロリー表示部が、容体の外壁側に設けられている構成手段を採用することもできる。
【発明の効果】
【００１６】
本発明に係るダイエット食器によれば、食器に性別、年齢を数字、文字、色、または、模様等を用いて表示する事で、その食器対象者が分かり易くなる。
【００１７】
また、本発明に係るダイエット食器によれば、ダイエットの必要カロリー摂取量と標準的カロリー摂取量を線、点線、模様等で表示する事でダイエット時だけでなく、リバウンド予防や標準的体重を維持する為の指針にすることができるという優れた効果を奏する。
【００１８】
また、本発明に係るダイエット食器によれば、それぞれの線を表示する事によって、ダイエット時と標準的カロリー摂取量を比較することが容易になり、１食当たりでどのくらい減らすとダイエットに効果的かが分かるので、モチベーションが保ちやすくなるという優れた効果を奏する。
【００１９】
また、本発明に係るダイエット食器において、各表示に模様等を用いる構成を採用した場合には、一見しただけではそれがダイエット用の食器であるとは気がつかず、周囲の人の視線等を気にすることなくダイエットをすることが可能になるという優れた効果を奏する。
【００２０】
また、前記人的情報表示部、前記標準摂取カロリー表示部、及び前記ダイエットカロリー表示部の表示方法を、凹状又は凸状の立体形状で表示する構成を採用した本発明に係るダイエット食器によれば、視覚の不自由な方でも利用し易いという効果を発揮し、また、洗浄や長期使用による印刷の掠れや剥離という問題も生じない。更に、製造過程において印刷工程を省略でき、射出成形のみで製造できるという効果も奏する。
【００２１】
また、前記容体が、透明素材であり、且つ、前記人的情報表示部、前記標準摂取カロリー表示部、及び前記ダイエットカロリー表示部が、容体外壁側に設けられている本発明に係るダイエット食器によれば、炊事の際、米飯を多く盛り付けてしまった場合でも、外部から視認できると共に、箸などで削られることもないため、印刷による各表示部が長持ちするという効果を発揮する。
【００２２】
また、同一容体に、対象性別や対象年齢といった人的情報表示部を区分して、該区分領域毎に、当該人的情報に対応する標準摂取カロリー表示部とダイエットカロリー表示部を其々表示する構成を採用した本発明に係るダイエット食器によれば、例えば一つのご飯茶碗でも、性別や年齢別、或いは更に細分化した身長との関係など、網羅的な情報記載に基づき誰にでも利用できるという効果を発揮する。
【図面の簡単な説明】
【００２３】
【図１】本発明に係るダイエット食器の基本的な実施形態を説明する説明斜視図である。
【図２】本発明に係るダイエット食器の別の実施形態を説明する説明斜視図である。
【図３】本発明に係るダイエット食器の別の実施形態を説明する説明斜視図である。
【図４】本発明に係るダイエット食器の表示状態説明図である。
【図５】本発明に係るダイエット食器の別の実施形態を説明する説明図である。
【発明を実施するための最良の形態】
【００２４】
本発明に係るダイエット食器は、人的情報表示部と、該人的情報表示部に記載される内容に基づいて算出される標準摂取カロリー表示部と、前記人的情報表記部に記載される内容に基づいて算出されるダイエットカロリー表示部とを有し、前記標準摂取カロリー表示部と前記ダイエットカロリー表示部の表示位置が、米飯の単位量当たりのカロリーに基づいて定められることを最大の特徴とする。以下、実施形態を図面に基づいて説明する。
【実施例１】
【００２５】
図１は、本発明に係るダイエット食器の最も一般的な実施形態を説明する説明斜視図である。容体１０には、対象年齢２１及び対象性別２２を表示した人的情報表示部２０と、「日本人の食事摂取基準」（厚生労働省発表）等のデータから対象年齢２１、性別２２を元にしてご飯分を割り出した標準摂取カロリー表示部３０と、標準的カロリー摂取量からダイエット分量を差し引いたダイエットの必要カロリー摂取量（ご飯分）を示すダイエットカロリー表示部４０が表示されている。ご飯分による標準的カロリー摂取量及びダイエットの必要カロリー摂取量の計算は、前記データの年齢と性別による基礎代謝の平均値をベースにして簡易的に算出したものから、該平均値に、身体活動レベルやＢＭＩ（体格指数）、身長と体重等、種々のダイエットプログラムをより詳細に総合考慮して算出されるものを含む。
【００２６】
容体１０の素材は、陶器や耐熱性を有する樹脂を用いるのが一般的である。樹脂を用いる場合は、例えば、熱に強く、コスト的にも経済的なポリプロピレン樹脂(ＰＰ：polypropylene)が望ましい。煮沸消毒等を考慮すると、少なくとも１００度以下で変形する素材は好ましくないため、ＡＢＳ樹脂(Acrylonitrile Butadiene Styrene)やアクリル樹脂（acrylic
resin）のように耐熱性の低いものを使用する場合は、耐熱タイプのものを用いる。また、請求項６に係る透明素材とする場合に、透明度の高いアクリル樹脂やポリカーボネート (Polycarbonate)、或いは耐熱性の高いポリオレフィン (polyolefin)
を用いることが考え得る。
【００２７】
また、容体１０の形状は、図４（ｂ）に示すような通常ご飯茶碗５０型であるが、例えば、図４（ａ）に示すように、直径が大きく高さを低くした場合、標準摂取カロリー表示部３０とダイエットカロリー表示部４０の距離が小さくなる為、視覚的には、無理の少ない穏やかな制限に感じ取ることができる。このような態様は本人の意識がダイエットに積極的に取り組めない人に向く構成である。他方、図４（ｃ）に示すように、直径を小さく高さを大きくした場合は、標準摂取カロリー表示部３０とダイエットカロリー表示部４０の距離が大きくなる為、視覚的には、自己の摂生への意識が高まり、「これほど食事量を制限しなければならないのか」といった危機感を与えることで、積極的にダイエットに取り組もうという人に向く構成である。
【実施例２】
【００２８】
図２は、本発明に係るダイエット食器１の別の実施形態を説明する説明斜視図である。人的情報表示部２０における対象年齢２１、対象性別２２は、図１に示すような数字、文字だけでなく、図２に示すように年配婦人等の年齢、性別が判別しやすい絵２３や写真等で表す事も可能である。また、対象性別２１を目盛線の線種や目盛線の色で表すことも可能である。
【実施例３】
【００２９】
図３は、本発明に係るダイエット食器１の別の実施形態を説明する説明斜視図である。図３で示すように、対象性別２１を模様等で示したり（男性は星模様、女性はハートマーク等のように）、椀の色で情報伝達を行い、年齢を該模様等の表字個数で表すことも可能である。係る態様が最もシンプルな表示態様といえる。
【００３０】
これらの表示は、陶器であれば焼成によるのが望ましく、樹脂であれば一般的には印刷によるが、食器という特性上、洗浄や消毒に強く、また、人体に無害であることが望ましい。例えば、素材がポリプロピレン樹脂を成形してなる容体１０であれば、表面をプラズマ処理した後、ポリウレタン樹脂塗料やアクリル樹脂塗料等により塗装することなどが考え得る。但し、請求項６に係る発明については、透明性を確保できる素材に限定されることは言うまでもない。
【実施例４】
【００３１】
また、請求項５に係るダイエット食器１では、人的情報表示部２０、標準摂取カロリー表示部３０、及びダイエットカロリー表示部４０の表示が凹状又は凸状の立体形状で表示されるように容体１０形成する。係る立体形状は樹脂製であれば、射出成形や鋳造により一体成型するのが望ましい。金属を絞り加工する場合は、絞りによる容体１０の全体の成形後に、パンチプレス等により成形する。
【実施例５】
【００３２】
また、請求項６に係るダイエット食器１では、前記容体１０が、透明素材であり、且つ、人的情報表示部２０、標準摂取カロリー表示部３０、及びダイエットカロリー表示部４０が、容体１０の外壁側に設ける構成を採用する。係る構成を採用した場合、炊事の際、米飯を多く盛り付けてしまった場合でも、外部から視認できるこうかを発揮すると共に、箸などで削られることもないため、印刷による各表示部が長持ちするという効果を発揮する。
【００３３】
図４は、本発明に係るダイエット食器１の表示状態説明図であり、図４（ｂ）は、通常の形態のご飯茶碗５０に本願発明に係る表示構成を採用した場合を示しており、図４（ｂ）及び図４（ｃ）は、通常のご飯茶碗５０と異なる形態のご飯茶碗に係る表示構成を採用した場合を示している。即ち、容体１０の形態が変われば、標準摂取カロリー表示部３０とダイエットカロリー表示部４０との幅が変化する関係にあることを示している。なお、（ａ）から（ｃ）の各標準摂取カロリー表示部３０と各ダイエットカロリー表示部４０の位置は、各容体１０との関係において同一体積となる位置である。
【００３４】
図４（ａ）のように、直径が大きく高さを低くした場合、標準摂取カロリー表示部３０とダイエットカロリー表示部４０の距離が小さくなる為、視覚的には、無理の少ない穏やかな制限に感じ取ることができる。このような態様は本人の意識がダイエットに積極的に取り組めない人に向く構成である。他方、図４（ｃ）のように、直径を小さく高さを大きくした場合は、標準摂取カロリー表示部３０とダイエットカロリー表示部４０の距離が大きくなる為、視覚的には、自己の摂生への意識が高まり、「これほど食事量を制限しなければならないのか」といった危機感を与えることで、積極的にダイエットに取り組もうという人に向く構成である。
【００３５】
図５は、本発明に係るダイエット食器１の別の実施形態を説明する説明図である。例えば、図５に例示したような同一容体１０に、対象性別２２や対象年齢２１といった人的情報表示部２０を区分して、対象性別２２は男女の区別が容易にできるような絵２３で区分し、対象年齢は通常のアラビア数字等で領域を区分し、該区分領域毎に、広範囲な人的情報に対応する標準摂取カロリー表示部３０とダイエットカロリー表示部４０を其々表示する。係る構成を採用した場合は、使用者各個人の専用食器としてではなく、汎用性が拡大する。
【００３６】
なお、図示はしていないが、例えば、同性・同年代で同一領域内でも、背の高さを「高い」・「普通」・「低い」というように更に細分化し、本願発明に係る各表示部を幅広く網羅的に表示する構成を採用することも有効である。またさらに、「ほとんど運動していない人（できない人）」・「結構運動している人」・「かなり運動している人」という身体活動レベルによって、標準摂取カロリー等に係数を掛け、これらの区分まで細分化を図ることも有効である。
【産業上の利用可能性】
【００３７】
本発明の食器は、陶磁器や樹脂製に限らず、漆器、強化ガラス食器、ステンレスやアルミ等の金属食器にも適用できる。
【符号の説明】
【００３８】
１  ダイエット食器
１０  容体
２０  人的情報表示部
２１  対象年齢
２２  対象性別
２３  絵
３０  標準摂取カロリー表示部
４０  ダイエットカロリー表示部
５０  通常ご飯茶碗
【図１】
2012249773.tif 000003
【図２】
2012249773.tif 000004
【図３】
2012249773.tif 000005
【図４】
2012249773.tif 000006
【図５】
2012249773.tif 000007
【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
ダイエット用の食器であって、
容体の表面に、
人的情報表示部と、
該人的情報表示部に記載される内容に基づいて算出される標準摂取カロリー表示部と、
前記人的情報表記部に記載される内容に基づいて算出されるダイエットカロリー表示部とを有し、
前記標準摂取カロリー表示部と、前記ダイエットカロリー表示部の表示位置が、米飯の単位量当たりのカロリーに基づいて定められ、
前記人的情報表示部と前記標準摂取カロリー表示部と前記ダイエットカロリー表示部の其々の表示手段が、数字、文字、色、絵柄、模様のいずれか、又はこれらの組み合わせからなる表示であり、
前記人的情報表示部は、男性対象表示部と女性対象表示部との対象性別毎に分割して表示され、
該対象性別毎に分割された前記人的情報表示部は、更に十代毎の対象年齢毎に細分化して表示され、
該対象年齢毎に細分化された人的情報表示部は、身長の高さ、身体活動レベルのいずれか、又はこれらの組合せに応じて更に細分化して表示されていることを特徴とするダイエット食器。
【請求項２】
前記人的情報表示部、前記標準摂取カロリー表示部、及び前記ダイエットカロリー表示部の表示手段において、該表示部の表示方法が凹状又は凸状の立体形状で表示されていることを特徴とする請求項１に記載のダイエット食器。
【請求項３】
前記容体が、透明素材であり、且つ、前記人的情報表示部、前記標準摂取カロリー表示部、及び前記ダイエットカロリー表示部が、容体外壁側に設けられていることを特徴とする請求項１又は請求項２に記載のダイエット食器。
【請求項４】
前記容体の直径を、通常ご飯茶碗の直径から４０％を超えない範囲で大きく成形し、高さはこれに対応して低くし、標準摂取カロリー表示部とダイエットカロリー表示部の距離を視覚的に小さく見せることで、無理の少ない穏やかな制限に感じ取らせることができる前記請求項１から請求項３のいずれかに記載のダイエット食器。
【請求項５】
前記容体の直径を、通常ご飯茶碗の直径から４０％を超えない範囲で小さく成形し、高さはこれに対応して高くし、標準摂取カロリー表示部とダイエットカロリー表示部の距離を視覚的に大きく見せることで危機感を与え、自己の摂生への意識を高めることができる前記請求項１から請求項３のいずれかに記載のダイエット食器。
【手続補正２】
【補正対象書類名】明細書
【補正対象項目名】０００８
【補正方法】変更
【補正の内容】
【０００８】
【特許文献１】実用新案登録第３１３８９８９
【特許文献２】実用新案登録第３０６７７０４
【特許文献３】特開平１０−０２３９５６
【特許文献４】特開２０１０−１３１３４３
【特許文献５】実用新案登録第３１４５５７７
【手続補正３】
【補正対象書類名】明細書
【補正対象項目名】００１０
【補正方法】変更
【補正の内容】
【００１０】
前記目的を達成するため、本発明は、ダイエット用の食器であって、容体の表面に、人的情報表示部と、該人的情報表示部に記載される内容に基づいて算出される標準摂取カロリー表示部と、前記人的情報表記部に記載される内容に基づいて算出されるダイエットカロリー表示部とを有し、前記標準摂取カロリー表示部と、前記ダイエットカロリー表示部の表示位置が、米飯の単位量当たりのカロリーに基づいて定められ、前記人的情報表示部と前記標準摂取カロリー表示部と前記ダイエットカロリー表示部の其々の表示手段が、数字、文字、色、絵柄、模様のいずれか、又はこれらの組み合わせからなる表示部であり、前記人的情報表示部は、男性対象表示部と女性対象表示部との対象性別毎に分割して表示され、該対象性別毎に分割された人的情報表示部は、更に十代毎の対象年齢毎に細分化して表示され、該対象年齢毎に細分化された人的情報表示部は、身長の高さ、身体活動レベルのいずれか、又はこれらの組合せに応じて更に細分化して表示されている手段を採用した。
【手続補正４】
【補正対象書類名】明細書
【補正対象項目名】００１１
【補正方法】変更
【補正の内容】
【００１１】
また、本発明は、前記人的情報表示部、前記標準摂取カロリー表示部、及び前記ダイエットカロリー表示部の表示手段において、該表示部の表示方法が凹状又は凸状の立体形状で表示されていることを特徴とする構成手段を採用することもできる。
【手続補正５】
【補正対象書類名】明細書
【補正対象項目名】００１２
【補正方法】変更
【補正の内容】
【００１２】
また、本発明は、前記容体が、透明素材であり、且つ、前記人的情報表示部、前記標準摂取カロリー表示部、及び前記ダイエットカロリー表示部が、容体外壁側に設けられていることを特徴とする構成手段を採用することもできる。
【手続補正６】
【補正対象書類名】明細書
【補正対象項目名】００１３
【補正方法】変更
【補正の内容】
【００１３】
また、本発明は、前記容体の直径を、通常ご飯茶碗の直径から４０％を超えない範囲で大きく成形し、高さはこれに対応して低くし、標準摂取カロリー表示部とダイエットカロリー表示部の距離を視覚的に小さく見せることで、無理の少ない穏やかな制限に感じ取らせることができる構成手段を採用することもできる。
【手続補正７】
【補正対象書類名】明細書
【補正対象項目名】００１４
【補正方法】変更
【補正の内容】
【００１４】
また、本発明は、前記容体の直径を、通常ご飯茶碗の直径から４０％を超えない範囲で小さく成形し、高さはこれに対応して高くし、標準摂取カロリー表示部とダイエットカロリー表示部の距離を視覚的に大きく見せることで危機感を与え、自己の摂生への意識を高めることができる構成手段を採用することもできる。
【手続補正８】
【補正対象書類名】明細書
【補正対象項目名】００１５
【補正方法】変更
【補正の内容】
【００１５】
削除
【手続補正９】
【補正対象書類名】明細書
【補正対象項目名】００２３
【補正方法】変更
【補正の内容】
【００２３】
【図１】本発明に係るダイエット食器の基本的な実施形態を説明する説明斜視図である。
【図２】本発明に係るダイエット食器の実施形態を説明する説明斜視図である。
【図３】本発明に係るダイエット食器の実施形態を説明する説明斜視図である。
【図４】本発明に係るダイエット食器の表示状態説明図である。
【図５】本発明に係るダイエット食器の実施形態を説明する説明図である。
【手続補正１０】
【補正対象書類名】明細書
【補正対象項目名】００２７
【補正方法】変更
【補正の内容】
【００２７】
また、容体１０の形状は、図４（ｂ）に示すような通常ご飯茶碗５０型に対し、請求項４に係るダイエット食器１では図４（ａ）に示すように、通常ご飯茶碗５０型の直径から４０％を超えない範囲で直径を大きく高さを低くしており、標準摂取カロリー表示部３０とダイエットカロリー表示部４０の距離が小さくなる為、視覚的には、無理の少ない穏やかな制限に感じ取ることができる。このような態様は本人の意識がダイエットに積極的に取り組めない人に向く構成である。他方、請求項５に係るダイエット食器１では図４（ｃ）に示すように、通常ご飯茶碗５０型の直径から４０％を超えない範囲で直径を小さく高さを大きくしており、標準摂取カロリー表示部３０とダイエットカロリー表示部４０の距離が大きくなる為、視覚的には、自己の摂生への意識が高まり、「これほど食事量を制限しなければならないのか」といった危機感を与えることで、積極的にダイエットに取り組もうという人に向く構成である。
【手続補正１１】
【補正対象書類名】明細書
【補正対象項目名】００３１
【補正方法】変更
【補正の内容】
【００３１】
また、請求項２に係るダイエット食器１では、人的情報表示部２０、標準摂取カロリー表示部３０、及びダイエットカロリー表示部４０の表示が凹状又は凸状の立体形状で表示されるように容体１０形成する。係る立体形状は樹脂製であれば、射出成形や鋳造により一体成型するのが望ましい。金属を絞り加工する場合は、絞りによる容体１０の全体の成形後に、パンチプレス等により成形する。
【手続補正１２】
【補正対象書類名】明細書
【補正対象項目名】００３２
【補正方法】変更
【補正の内容】
【００３２】
また、請求項３に係るダイエット食器１では、前記容体１０が、透明素材であり、且つ、人的情報表示部２０、標準摂取カロリー表示部３０、及びダイエットカロリー表示部４０が、容体１０の外壁側に設ける構成を採用する。係る構成を採用した場合、炊事の際、米飯を多く盛り付けてしまった場合でも、外部から視認できるこうかを発揮すると共に、箸などで削られることもないため、印刷による各表示部が長持ちするという効果を発揮する。
【手続補正１３】
【補正対象書類名】明細書
【補正対象項目名】００３３
【補正方法】変更
【補正の内容】
【００３３】
図４は、本発明に係るダイエット食器１の表示状態説明図であり、図４（ｂ）は、通常の形態のご飯茶碗５０に本願発明に係る表示構成を採用した場合を示しており、図４（ａ）及び図４（ｃ）は、通常のご飯茶碗５０と異なる形態のご飯茶碗に係る表示構成を採用した場合を示している。即ち、容体１０の形態が変われば、標準摂取カロリー表示部３０とダイエットカロリー表示部４０との幅が変化する関係にあることを示している。なお、（ａ）から（ｃ）の各標準摂取カロリー表示部３０と各ダイエットカロリー表示部４０の位置は、各容体１０との関係において同一体積となる位置である。
【手続補正１４】
【補正対象書類名】明細書
【補正対象項目名】００３５
【補正方法】変更
【補正の内容】
【００３５】
図５は、本発明に係るダイエット食器１の実施形態を説明する説明図である。例えば、図５に例示したような同一容体１０に、対象性別２２や対象年齢２１といった人的情報表示部２０を区分して、対象性別２２は男女の区別が容易にできるような絵２３で区分し、対象年齢は通常のアラビア数字等で領域を区分し、該区分領域毎に、広範囲な人的情報に対応する標準摂取カロリー表示部３０とダイエットカロリー表示部４０を其々表示する。係る構成を採用していることで、使用者各個人の専用食器としてではなく、汎用性を拡大している。
【手続補正１５】
【補正対象書類名】明細書
【補正対象項目名】００３６
【補正方法】変更
【補正の内容】
【００３６】
なお、図示はしていないが、同性・同年代における同一領域内に、身長の高さから「高い」・「普通」・「低い」という更なる細分化、身体活動レベルから「ほとんど運動していない人（できない人）」・「結構運動している人」・「かなり運動している人」という更なる細分化、又は、前記身長の高さによる細分化と前記身体活動レベルによる細分化を組合せた更なる細分化を施し、本願発明に係る各表示部を幅広く網羅的に表示する構成を採用している。